(57)【要約】【課題】本発明は、蓋部材を持ち上げること無く、貯留部材を設置可能な浴室カウンターを提供することを目的とした。【解決手段】浴室の側壁８に設置される浴室カウンター１であって、浴室の床面とほぼ水平に設けられる載置板３と、液体を貯留可能な貯留部材５を有し、前記載置板３は、浴室の側壁８に立設されており、天地方向に貫通した切り欠き保持孔７を有し、切り欠き保持孔７は、突出方向先端から浴室の側壁８に向けて延伸して形成されており、蓋部材６は、切り欠き保持孔７に係合可能であり、蓋部材６、切り欠き保持孔７に沿って略水平方向にスライドさせて着脱可能である構成となっている。【選択図】図１
2012241483.tif 000002
【特許請求の範囲】
【請求項１】
浴室の側壁に設置される浴室カウンターであって、浴室の床面とほぼ水平に設けられる載置板と、蓋部材を有し、前記載置板は、浴室の側壁に立設されており、天地方向に貫通した切り欠き保持孔を有し、前記切り欠き保持孔は、突出方向先端から浴室の側壁に向けて延伸して形成されており、前記蓋部材は、切り欠き保持孔に係合可能であり、切り欠き保持孔に沿って略水平方向にスライドさせて着脱可能であることを特徴とする浴室カウンター。
【請求項２】
切り欠き保持孔の上部の開口から下部の開口の間に外側に傾斜する斜面を有することを特徴とする請求項１に記載の浴室カウンター。
【発明の詳細な説明】
【技術分野】
【０００１】
本発明は、浴室の壁面に設置されて使用される浴室カウンターに関するものである。
【背景技術】
【０００２】
従来の浴室には、洗髪する際に使用するシャンプーやリンス、体を洗う際のボディソープや石鹸等を載置することができるとともに、入浴者が楽な姿勢で洗顔や洗髪等を行なえるように載置板が、浴室の壁面に沿って設けられている。また、当該載置板は、混合水栓の蛇口と浴室の床面との間に設置され、載置板上に洗面器を設置して使用されている。そして、近年では、入浴者が椅子に着座状態で洗髪や洗顔を行なえるように、載置板に洗面器が嵌りこみ一体化した浴室カウンターが提案されている（例えば、特許文献１）。
【先行技術文献】
【特許文献】
【０００３】
【特許文献１】特開平９−２２８６６３号公報
【発明の概要】
【発明が解決しようとする課題】
【０００４】
ところで、特許文献１の浴室カウンターは、載置板から洗面器（以下、貯留部材ともいう）を外し、浴槽から湯水をすくう際に、貯留部材の下面を載置板以上の高さまで持ち上げる必要がある。しかしながら、着座状態で使用しやすいように載置板の高さを混合水栓の蛇口に近づけて設置されている。そのため、蛇口と載置板との距離が近くなっており、貯留部材を持ち上げる際に、貯留部材と蛇口とが接触してしまう。それ故に、貯留部材を着脱するためには、蛇口の向きを変更して取り外す必要があった。そのため、使用者は、蛇口の向きを変更する作業が煩わしく、不快に感じる恐れがあった。
【０００５】
そこで、本発明では、従来技術の問題に鑑み、貯留部材の底面を載置板の天面以上の高さに持ち上げること無く、貯留部材を設置可能であり、蓋部材を着脱自在に係合できる浴室カウンターを提供することを課題とする。
【課題を解決するための手段】
【０００６】
上記課題を解決するため、請求項１に記載の発明は、浴室の側壁に設置される浴室カウンターであって、浴室の床面とほぼ水平に設けられる載置板を有し、前記載置板は、浴室の側壁に立設されており、天地方向に貫通した切り欠き保持孔を有し、前記切り欠き保持孔は、突出方向先端から浴室の側壁に向けて延伸して形成され、蓋部材は切り欠き保持孔に係合可能であり、切り欠き保持孔に沿って略水平方向にスライドさせて着脱可能であることを特徴とする浴室カウンターである。
【０００７】
かかる構成によれば、前記蓋部材は、切り欠き保持孔に沿って略水平方向にスライドさせて着脱可能であるため、蓋部材の底面を載置板の天面以上の高さに持ち上げること無く、蓋部材を載置板に脱着可能である。それ故に、着脱時に蓋部材と蛇口とが接触してしまうことがない。また、蛇口の向きを変更して蓋部材を取り外すといった作業が必要無く、使用者に不快感を与える恐れがない。
【０００８】
かかる構成によれば、蓋部材は、切り欠き保持孔に係合可能である。また、例えば貯留部材を切り欠き保持孔に挿入することで、混合水栓の蛇口の高さを変更することなく、載置板の設置位置を高くできる。
【０００９】
請求項２に記載の発明は、切り欠き保持孔の上部の開口から下部の開口の間に外側に傾斜する斜面を有することを特徴とする請求項１に記載の浴室カウンターである。
【００１０】
かかる構成によれば、切り欠き保持孔の上部の開口から下部の開口の間に外側に傾斜する斜面を有する。例えば、上部の開口から下部の開口にかけて外側に傾斜する斜面を設けることで、蓋部材を切り欠き保持孔に設置した際に、蓋部材がガタツクことなく係合し、切り欠き保持孔にはまり込む。それ故に、蓋部材の抜け落ちを防止できる。
【発明の効果】
【００１１】
本発明の浴室カウンターによれば、前記蓋部材は、切り欠き保持孔に沿って略水平方向にスライドさせて着脱可能であるため、蓋部材の底面を載置板の天面以上の高さに持ち上げること無く、貯留部材を載置板に脱着可能である。それ故に、着脱時に蓋部材と蛇口とが接触してしまうことがない。また、蛇口の向きを変更して蓋部材を取り外すといった作業が必要無く、使用者に不快感を与える恐れがない。
【００１２】
また、本発明の浴室カウンターによれば、貯留部材は、切り欠き保持孔に係合可能である。即ち、例えば貯留部材を切り欠き保持孔に挿入することで、混合水栓の蛇口の高さを変更することなく、載置板の設置位置を高くできる。
【図面の簡単な説明】
【００１３】
【図１】本発明の第１実施形態の浴室カウンターの説明図であり、（ａ）貯留部材装着前、（ｂ）貯留部材装着時、（ｃ）貯留部材装着後の斜視図である。
【図２】本発明の第１実施形態の浴室カウンターの説明図であり、（ａ）蓋部材装着前、（ｂ）蓋部材装着後の斜視図である。
【図３】浴室カウンターの断面図であり、（ａ）図１（ａ）のＡ−Ａ断面図であり、（ｂ）図１（ｃ）のＢ−Ｂ断面図であり、（ｃ）図２のＣ−Ｃ断面図である。
【図４】本発明の第２実施形態の浴室カウンターの斜視図である。
【発明を実施するための形態】
【００１４】
以下に本発明の実施形態について詳細に説明する。
【００１５】
本実施形態の浴室カウンター１は、図１（ａ）のように浴室の側壁に沿って設けられており、混合水栓２と、載置板３とを備えている。そして、浴室カウンター１は、液体貯留時には、図１（ｃ）のように貯留部材５を取り付け、貯留部材５を不使用時には、図２（ｂ）のように蓋部材６に付け替えて使用可能である。また、貯留部材以外の高さの高い容器（例えば、加湿器のタンク）などに液体を導入する際には、図１（ａ）のように貯留部材５及び蓋部材６を外した状態で使用可能である。
【００１６】
以下に浴室カウンター１の各部材に構成について説明する。
【００１７】
まず、混合水栓２の構成について説明する。
【００１８】
混合水栓２は、公知の水栓であり、水栓本体２１と、水と湯水などの液体を流出可能な蛇口２０を備えている。蛇口２０は、混合水栓２の水栓本体２１に対して水平方向に回動可能となっており、所望の角度で固定可能となっている。そして、蛇口２０の回動軌跡上には、後述する載置板３の切り欠き保持孔７が位置している。
【００１９】
続いて、載置板３の構成について説明する。
【００２０】
載置板３は、シャンプーやリンスなどの洗髪具やボディソープや石けんなどの洗剤を載置する部材である。
【００２１】
載置板３は、浴室の側壁８に立設されており、浴室の床面とほぼ水平に設けられている。また、載置板３は、天地方向に貫通した切り欠き保持孔７を有している。切り欠き保持孔７は、突出方向先端から浴室の側壁８に向けてほぼ同じ幅で延伸して形成されており、その開口形状は、略Ｕ字状となっている。
【００２２】
切り欠き保持孔７は、図３（ａ）のように下面から上面に向けてテーパー状に広がった傾斜面１７を有している。即ち、切り欠き保持孔７の上面側の上部開口１０は、下面側の下部開口１１に対して大きい。
【００２３】
切り欠き保持孔７の幅方向の大きさは、貯留部材５の受け皿部１５の最大外径とほぼ同程度の大きさとなっており、切り欠き保持孔７の延伸方向の大きさは、貯留部材５の受け皿部１５の最大外径とほぼ同程度となっている。即ち、切り欠き保持孔７の内側に貯留部材５を挿入可能となっている。
【００２４】
切り欠き保持孔７の内部には、混合水栓２側から浴室の床面に向かって開放された開放空間１２を有している。即ち、貯留部材以外の高さの高い容器（例えば、加湿器のタンク）であっても開放空間１２内に容器を設置することで、混合水栓２の蛇口２０から流入する液体を導入可能である。
【００２５】
続いて、貯留部材５の構成について説明する。
【００２６】
貯留部材５は、受け皿部１５と、受け皿部１５の上端から外側に張り出したフリンジ部１６を有している。受け皿部１５は、内部に水や湯水などの液体を貯留可能となっている。フリンジ部１６は、文字通りフリンジ状となっており、その外径は、切り欠き保持孔７の幅方向の長さより大きい。
【００２７】
続いて、蓋部材６の構成について説明する。
【００２８】
蓋部材６は、貯留部材５の不使用時において、載置板３の切り欠き保持孔７を塞ぐ部材である。蓋部材６により切り欠き保持孔７を塞ぐと載置板３は通常の浴室カウンターとして使用することができるものである。蓋部材６は、断面形状が略等脚台形状となっており、載置板３の切り欠き保持孔７の開口に係合可能となっている。即ち、蓋部材６は、上面に対して下面の面積が小さい。また、蓋部材６の輪郭は、略Ｕ字状となっている。また、蓋部材６は、水平方向の移動により切り欠き保持孔７に係合することができる。
【００２９】
続いて、浴室カウンター１の貯留部材５の取り付け方法に沿って、浴室カウンター１の各部材の位置関係について主に図１を用いて説明する。
【００３０】
図１（ａ）〜図１（ｃ）のように貯留部材５を載置板３の切り欠き保持孔７に沿って、略水平方向にスライドさせる。取り付け完了時、貯留部材５の受け皿部１５の外側面は、図３（ｂ）のように載置板３の切り欠き保持孔７の傾斜面１７と係合している。そして、貯留部材５のフリンジ部１６の下面は、載置板３の切り欠き保持孔７付近の上面と当接している。また、受け皿部１５の上方には、混合水栓２の蛇口２０が配設可能となっている。
【００３１】
続いて、浴室カウンター１の蓋部材６の取り付け方法に沿って、浴室カウンター１の各部材の位置関係について主に図２を用いて説明する。
【００３２】
図２（ａ）〜図２（ｂ）のように蓋部材６を載置板３の切り欠き保持孔７に沿って、略水平方向にスライドさせる。取り付け完了時、蓋部材６の外側面は、図３（ｃ）のように載置板３の切り欠き保持孔７の傾斜面１７と係合している。そして、蓋部材６の上面と載置板３の上面は、面一となっており、蓋部材６の下面と載置板３の下面も、面一となっている。即ち、蓋部材６は、載置板３の切り欠き保持孔７に嵌り込んでいる。それ故に、載置板３及び蓋部材６全体を載置板として使用可能である。
【００３３】
本実施形態の浴室カウンター１であれば、貯留部材５は、切り欠き保持孔７に沿って略水平方向にスライドさせて着脱可能であるため、貯留部材５の底面を載置板３の天面以上の高さに持ち上げること無く、貯留部材５を載置板３に脱着可能である。それ故に、着脱時に貯留部材５と混合水栓２の蛇口２０とが接触してしまうことがない。また、混合水栓２の蛇口２０の向きを変更して貯留部材５を取り外すといった作業が必要無く、使用者に不快感を与える恐れがない。
【００３４】
上記した実施形態では、切り欠き保持孔７全体にかけて同一の傾斜面１７形成したが、本発明はこれに限定されるものではなく、部分的に傾斜面１７の形状を変形してもよい。即ち、図４のように、切り欠き保持孔７の張出方向中間から先端に向けて、傾斜面の傾斜角度を小さくしたかさ上げ部１８を設けてもよい。
【符号の説明】
【００３５】
１    浴室カウンター
３    載置板
５    貯留部材
６    蓋部材
７    切り欠き保持孔
８    側壁
１０    上部開口
１１    下部開口
１７    傾斜面
【図１】
2012241483.tif 000003
【図２】
2012241483.tif 000004
【図３】
2012241483.tif 000005
【図４】
2012241483.tif 000006